(57)【特許請求の範囲】
【請求項１】
コンソールの正面を覆うパネルカバーの背面側に位置決め部を備えた底面部を有する四角筒状体であり、前記四角筒状体の底面部から前記パネルカバーと並行方向に伸びた突片部をねじにより前記パネルカバーと固着するねじ穴部を有し、電子機器の本体の側面部と前記四角筒状体の側板とを固着するねじ穴を有し、
前記四角筒状体に備えられている前記位置決め部は、前記パネルカバーの背面法線方向で前記電子機器が突き当たるように形成されていることを特徴とする電子機器取付け装置。
【発明の詳細な説明】
【０００１】
【発明の属する技術分野】
本発明は、電子機器取付け装置に係り、特に車両のセンターコンソールに装備して効果的な電子機器取付け装置に関する。
【０００２】
【従来の技術】
自動車等のセンターコンソール部にオーディオ機器やナビゲーション装置等を搭載する場合に、車両の内装の一部を構成するコンソールパネルにディスク挿脱口等を形成し、電子機器本体をその背面側に取り付けるものが多用されている。
【０００３】
例えば図４に示すように、車両のインストルメンタルパネル１の下方側に位置するセンターコンソール部２に着脱可能なパネルカバー３を設け、その背面に突設にした複数のボス部３ａに取付けねじ４によって電子機器５のケース６を取外し可能に取り付けている。なお、７は電子機器５の正面側に設置された電気回路基板である。
【０００４】
【発明が解決しようとする課題】
しかしながら、上記従来の電子機器にあっては、電子機器５の交換や修理等に際して、センターコンソール部２からパネルカバー３を取外した後、図５に示すように、パネルカバー３を作業台９上に置いて取付けねじを取外すといった作業を行うため、化粧処理が施されたパネルカバー３を傷付け易いばかりか、パネル面上に突出すべきスイッチやつまみ類が傷ついたり陥没したりし易いという問題があり、電子機器５の着脱時には専用の冶具を用いた作業を行う必要が生じていた。
【０００５】
さらに、電子機器５のパネルカバー３への取付け面からそのケース後端面までの距離が長くなるため、ワークスペース確保のために長いねじ締め工具８ａを使用したり、取付け用のねじ穴の位置（支持位置）を電子機器５のケース側面から遠ざけて配置して通常のねじ締め工具８ｂを使用したりするといったことが必要となり、作業容易で確実な取付けができなかった。
【０００６】
そこで本発明は、取付けねじの操作が容易で、電子機器のパネルカバーへの着脱を容易化することができる電子機器取付け装置を提供することを目的とするものである。
【０００７】
【課題を解決するための手段】
上記課題を解決するため、本発明の電子機器取付け装置は、パネルカバーの背面側で四角筒状体の底面部からパネルカバーと並行方向に伸びた突片部をねじによりパネルカバーと固着するねじ穴部を有し、電子機器の本体の側面部と四角筒状体の側板とを固着するねじ穴を有し、四角筒状体に備えられている位置決め部は、パネルカバーの背面法線方向で電子機器が突き当たるように形成されていることで、容易にパネルカバーに着脱することができ、電子機器の着脱作業が容易化される。
【０００９】
また、前記一対の側板部が周壁の一部として筒状体を構成し、該筒状体を前記パネルカバーの背面にねじ締結したものであるのがよい。この場合、剛性の高い取付け具をパネルカバーの背面に取り付けることで、大物部品であるパネルカバーの構造を簡素にしながら、電子機器の安定した装着状態を維持できる取付け装置とすることができる。
【００１０】
さらに、前記筒状体が前記パネルカバーの背面の法線方向で前記電子機器の前面に突き当たる位置決め部を有するようにすると、電子機器の枠状体への挿入時にその一部を位置決め部に当接させることで、取付けねじのねじ穴等の位置決めを行うことができ、より作業性が向上する。
【００１１】
本発明の電子機器取付け装置は、また、前記筒状体が、前記一対の側板部を短辺とし、両側板部を互いに平行に連結する一対の連結板部を長辺とする四角筒状に形成され、前記連結板部に、前記筒状体を前記パネルカバーの背面にねじ締結するための突片部を設けた構成とした。この構成により、ねじ締結部分を筒状体の短辺側である側板部に設ける場合よりも、取付け部分の離間距離を小さくでき、配置スペースを抑えることができるとともに、取付け強度を状態を十分に確保することができる。
【００１２】
【発明の実施の形態】
以下、本発明の実施の形態を図面に基づいて説明する。
【００１３】
図１は本発明に係る電子機器取付け装置の一実施形態を示す図であり、図1はその要部分解斜視図である。
【００１４】
同図に示すように、この装置は、所定形状のパネルカバー１１の背面１１ｂ側にオーディオ機器やナビゲーション装置等の電子機器１２を着脱可能に取り付ける取付け部１３を設けたものである。パネルカバー１１は、車両のセンターコンソール（詳細は図示していない）の一部を構成するものであり、正面には車両の内装の一部としての化粧処理が施されている。
【００１５】
取付け部１３には取付け用の四角筒状のブラケット１５が設けられており、ブラケット１５は断面略四角形の板金製の筒状体で構成されている。このブラケット１５は、複数の取付けねじ１７によって電子機器１２に締結されるようになっており、複数の取付けねじ１７は電子機器１２の左右両側の取付けねじ穴１２ａ、１２ｂにねじ結合する。そのため、ブラケット１５の周壁の一部である一対の側板部２１、２２には、取付けねじ１７が挿入される複数の取付けねじ挿入穴２３ｃが形成されている。なお、ブラケット１５の奥行（パネルカバー１１の背面１１ｂの法線方向）は、取付けねじ挿入穴２３Ｃが形成される位置が確保され、電子機器１２の奥行より短い。
【００１６】
ここで、一対の側板部２１、２２は、パネルカバー１１の左右両側に対向配置されるとともにパネルカバー１１の背面１１ｂから突出しており、これら一対の側板部２１、２２が上下の連結板部２３、２４によって互いに平行に離間するよう連結されている。なお、側板部２１、２２の離間間隔より、連結板部２３、２４の離間間隔の方が短い。
【００１７】
図２および図３に示すように、上下の連結板部２３、２４には上下に突出したねじ挿入穴付きの突片部２５、２６が一体に設けられており、それら突片部２５、２６のねじ穴２５ａ、２６ａには複数のブラケット固定ねじ３１（図１参照）が挿入される。そして、これらブラケット固定ねじ３１により、ブラケット１５をパネルカバー１１の背面１１ｂに突設した複数対のボス部１６にねじ締結できるようになっている。なお、２５ｂ、２５ｃは、それぞれパネルカバー１１の背面から突出する位置決めピン部（もしくは位置決め工具）に係合する位置決め穴で、ブラケット１５をパネルカバー１１に対し相対的に位置決めする丸穴と小判穴からなる。
【００１８】
ブラケット１５には、さらに、パネルカバー１１の背面１１ｂの法線方向で電子機器１２の前面に突き当たる上下の左右各一対の切片上の位置決め部２８、２９を有している。これら位置決め部２８、２９は両側板部２１、２２の一部を延長して内側に曲げ加工したものとなっている。
【００１９】
このように構成された本実施形態の電子機器の取付け装置では、車両のセンターコンソールからパネルカバー１１を取外すと、取り付けられた電子機器が、パネルカバー１１と共に引き出すことができ、ねじ回し用の工具をパネルカバー１１の背面沿いに向けて取付けねじ１７に係合させ、ねじ１７をゆるめるだけで、取付け部１３の両側板部２１、２２の間に配置されている電子機器１２をパネルカバー１１から取外すことができる。
【００２０】
したがって、従来のように、パネルカバーを下に向ける従来のような電子機器着脱作業が必要でなくなり、例えばパネルカバー１１の正面（内装化粧面）を上向きあるいは横向きにして、専用の冶具を用いることなく、電子機器１２をパネルカバー１１の背面１１ｂ側に容易に取り付けおよび取り外しすることができる。したがって、車両の販売店などにおける電子機器の着脱作業を容易にすることができる。
【００２１】
また、ねじ穴２５ａ、２６ａやボス部１６を、ブラケット１５の周壁に近接しても、電子機器１２の奥行きよりもブラケット１５の奥行を短くできるので、着脱作業が容易であり、また、ブラケット１５の周壁に近接することで、パネルカバー１１の取付け部分の配置が小さくなるので、他に用いることができる面積が広く有効となる。また、重量物である電子機器１２にも近いので、パネルカバー１１と電子機器１２との配置を変位し難くして取り付けることができる。
【００２２】
なお、離間間隔が側板部２１、２２より短い長辺側の連結飯給２３、２４に突片部２５、２６を設けることで、ボス部１６同士の最大となる間隔を短くして取付け部分を含めた配置スペースを抑えることができるので、より有効であるが、離間間隔の長い短辺側の側板部２１、２２に突片部２５、２６を設けてもよい。
【００２３】
また、本発明は自動車のセンターコンソール以外であっても、着脱可能なパネルカバーに電子機器を装着するものであれば適用することができ、航空機や船舶その他の乗物あるいは乗物以外でも適用可能である。また、ブラケット１５のねじ挿入穴２３ｃを形成するのは、左右の側板部２１、２２に限らず、上下の連結板部２３、２４であってもよい。
【００２４】
【発明の効果】
本発明によれば、取付け部の両側板部の間に配置した電子機器を、パネルカバーの背面沿いに取付けねじを操作することで容易にパネルカバーに着脱することができ、電子機器の着脱作業が非常に容易な電子機器取付け装置を提供することができるものである。
【図面の簡単な説明】
【図１】本発明に係る電子機器取付け装置の一実施形態を示すその分解斜視図
【図２】本発明の一実施形態における枠状のブラケットの側面図
【図３】図２のブラケットの一部の背面図
【図４】従来例の電子機器の取付け装置を装備したセンターコンソールの正面図
【図５】従来例の課題の説明図
【符号の説明】
１１    パネルカバー
１１ｂ    背面
１２    電子機器
１３    取付け部
１５    ブラケット（筒状体）
１５ｃ    ねじ挿入穴
１６    ボス部（ねじ締結部）
２１、２２    一対の側板部（一対の側板）
２３、２４    連結板部
２３ｃ    ねじ挿入穴
２８、２９    位置決め部
【図１】
0004359007.tif 000002
【図２】
0004359007.tif 000003
【図３】
0004359007.tif 000004
【図４】
0004359007.tif 000005
【図５】
0004359007.tif 000006